(57)【要約】【課題】  接続点数の調整を可能とするＳＣアダプタホルダー及びＳＣアダプタホルダーの固定方法を提供する。【解決手段】  ＳＣコネクタ同士の接続の際に用いるＳＣアダプタを保持するためのＳＣアダプタホルダー１は、ＳＣアダプタのフランジ及び板バネ間に差し込んで挟み込まれるアダプタ支持用凸部６と、そのアダプタ支持用凸部６に連続する基板５と、を有する略Ｌ字状のホルダーブロック３を横一列に複数連ねてホルダー元部材２を形成し、ホルダー元部材２から任意の数のホルダーブロック３を分離することによりなる。アダプタ支持用凸部６には、フランジに存在する穴に差し込むための突起１０を形成する。【選択図】    図１
2006145597.tif 000002
【特許請求の範囲】
【請求項１】
ＳＣコネクタ同士の接続の際に用いるＳＣアダプタを保持するためのＳＣアダプタホルダーであって、
前記ＳＣアダプタを支持するためのアダプタ支持用凸部と、該アダプタ支持用凸部に連続する基板と、を有する略Ｌ字状のホルダーブロックを横一列に複数連ねてホルダー元部材を形成し、該ホルダー元部材から任意の数の前記ホルダーブロックを分離することによりなる
ことを特徴とするＳＣアダプタホルダー。
【請求項２】
請求項１に記載のＳＣアダプタホルダーにおいて、
前記アダプタ支持用凸部を前記ＳＣアダプタのフランジ及び板バネ間に差し込んで挟み込まれる形状に形成する
ことを特徴とするＳＣアダプタホルダー。
【請求項３】
請求項１又は請求項２に記載のＳＣアダプタホルダーにおいて、
前記ＳＣアダプタのフランジに存在する穴に差し込むための突起を前記アダプタ支持用凸部に形成する
ことを特徴とするＳＣアダプタホルダー。
【請求項４】
ＳＣコネクタ同士の接続の際に用いるＳＣアダプタを保持するためのＳＣアダプタホルダーの固定方法であって、
前記ＳＣアダプタを支持するためのアダプタ支持用凸部と、該アダプタ支持用凸部に連続する基板と、を有する略Ｌ字状のホルダーブロックを横一列に複数連ねてホルダー元部材を形成し、該ホルダー元部材から前記ＳＣアダプタの数よりも多く前記ホルダーブロックを有するように分離して前記ＳＣアダプタホルダーを形成し、多い分となるホルダーブロックを被固定部分に対しての固定用として用いる
ことを特徴とするＳＣアダプタホルダーの固定方法。
【発明の詳細な説明】
【技術分野】
【０００１】
本発明は、ＳＣコネクタ同士の接続の際に用いるＳＣアダプタを保持するためのＳＣアダプタホルダー及びその固定方法に関する。
【背景技術】
【０００２】
例えば、光接続箱において、ＳＣコネクタ同士の接続を行う際には、ＳＣコネクタ同士を対向するように差し込んで接続する構造のＳＣアダプタが用いられている。光接続箱は、複数の接続点を有することから、ＳＣアダプタはその接続点の数に合わせて複数設けられている。複数のＳＣアダプタは、専用のＳＣアダプタホルダーによって保持されている（例えば特許文献１参照）。
【０００３】
ＳＣアダプタホルダーには、ＳＣアダプタを個別に差し込んで保持するための保持部、すなわち貫通孔又はスリットが複数形成されている。ＳＣアダプタホルダーは、保持部を規定の数だけ形成した状態で光接続箱のトレー上に一体化されるマウントタイプや、保持部を規定の数だけ形成した状態でトレー上に着脱自在となるプレートタイプのものが存在する。
【特許文献１】特開２００２−２４３９４９号公報  （第２頁、第１図）
【発明の開示】
【発明が解決しようとする課題】
【０００４】
ところで、上記従来のＳＣアダプタホルダーにあっては、次のような問題点を有する。すなわち、マウントタイプの場合では、接続点数が保持部の数によって規定されていることから、実装数が少ない時の残りは空きスペースになってしまうという問題点を有する。また、マウントタイプの場合では、ホルダー取り外しが不能であることから、増設をすることができないという問題点を有する。一方、プレートタイプの場合では、ホルダー固定位置の変更ができ、また、保持部を規定数よりも多く形成したものと交換すれば増設も可能であることから、マウントタイプほど限定的な使用にはならないものの、実装数が規定数よりも少ない時には、無駄なスペースが生じてしまうという問題点を有する。
【０００５】
本発明は、上述した事情に鑑みてなされたもので、接続点数の調整を可能とするＳＣアダプタホルダーを提供することを課題とする。また、このような課題を解消するＳＣアダプタホルダーのより良い固定方法を提供することを課題とする。
【課題を解決するための手段】
【０００６】
上記課題を解決するためになされた請求項１記載の本発明のＳＣアダプタホルダーは、ＳＣコネクタ同士の接続の際に用いるＳＣアダプタを保持するためのＳＣアダプタホルダーであって、前記ＳＣアダプタを支持するためのアダプタ支持用凸部と、該アダプタ支持用凸部に連続する基板と、を有する略Ｌ字状のホルダーブロックを横一列に複数連ねてホルダー元部材を形成し、該ホルダー元部材から任意の数の前記ホルダーブロックを分離することによりなることを特徴としている。
【０００７】
また、請求項２記載の本発明のＳＣアダプタホルダーは、請求項１に記載のＳＣアダプタホルダーにおいて、前記アダプタ支持用凸部を前記ＳＣアダプタのフランジ及び板バネ間に差し込んで挟み込まれる形状に形成することを特徴としている。
【０００８】
また、請求項３記載の本発明のＳＣアダプタホルダーは、請求項１又は請求項２に記載のＳＣアダプタホルダーにおいて、前記ＳＣアダプタのフランジに存在する穴に差し込むための突起を前記アダプタ支持用凸部に形成することを特徴としている。
【０００９】
上記課題を解決するためになされた請求項４記載の本発明のＳＣアダプタホルダーの固定方法は、ＳＣコネクタ同士の接続の際に用いるＳＣアダプタを保持するためのＳＣアダプタホルダーの固定方法であって、前記ＳＣアダプタを支持するためのアダプタ支持用凸部と、該アダプタ支持用凸部に連続する基板と、を有する略Ｌ字状のホルダーブロックを横一列に複数連ねてホルダー元部材を形成し、該ホルダー元部材から前記ＳＣアダプタの数よりも多く前記ホルダーブロックを有するように分離して前記ＳＣアダプタホルダーを形成し、多い分となるホルダーブロックを被固定部分に対しての固定用として用いることを特徴としている。
【００１０】
このような特徴を有する本発明によれば、ホルダーブロックを横一列に複数連ねてなるホルダー元部材からＳＣアダプタホルダーが形成される。詳しくは、ＳＣアダプタホルダーは、必要な数のホルダーブロックのところで分離することにより形成される。そのＳＣアダプタホルダーは、アダプタ支持用凸部を用いることで、ＳＣアダプタの支持及び保持が完了するものとなる。より具体的な一例としては、アダプタ支持用凸部をＳＣアダプタのフランジ及び板バネの間に差し込み、そして、そのフランジ及び板バネによってアダプタ支持用凸部を挟み込ませると、ＳＣアダプタの保持が完了するものとなる。ＳＣアダプタの保持に関しては、アダプタ支持用凸部に形成した突起をＳＣアダプタのフランジに存在する穴に差し込むようにすると安定性を高めることが可能になる。
【００１１】
ＳＣアダプタホルダーは、固定側のＳＣアダプタホルダーと、これとは反対側のＳＣアダプタホルダーとの二つを備えることが好ましい。固定側のＳＣアダプタホルダーは、少なくとも接続点の数分だけホルダーブロックを備えたり、接続点の数に対して例えばプラス２個余計にホルダーブロックを備えたりする構成が挙げられる。ホルダーブロックを接続点の数分だけ備えた場合には、ホルダーブロックの基板に例えば接着剤を設けることで被固定部分に対する固定が可能になる。また、余計にホルダーブロックを備えた場合には、その余計なホルダーブロックを専用の固定部として用いることにより被固定部分に対する固定が可能になる。その他、ホルダーブロックの基板に貫通孔を形成すれば、ネジ等での固定が更に可能となり汎用性が高まる。
【発明の効果】
【００１２】
請求項１に記載された本発明によれば、接続点数の調整を可能とするＳＣアダプタホルダーを提供することができるという効果を奏する。また、請求項２に記載された本発明によれば、ＳＣアダプタのフランジ及び板バネの間にアダプタ支持用凸部を差し込むことでＳＣアダプタを支持することができるという効果を奏する。また、請求項３に記載された本発明によれば、ＳＣアダプタの保持状態を安定させることができるという効果を奏する。また、請求項４に記載された本発明によれば、ＳＣアダプタホルダーのより良い固定方法を提供することができるという効果を奏する。
【発明を実施するための最良の形態】
【００１３】
以下、図面を参照しながら説明する。
図１は本発明のＳＣアダプタホルダーの一実施の形態を示す図であり、（ａ）は平面図、（ｂ）は正面図、（ｃ）はＡ−Ａ線断面図である。また、図２はＳＣアダプタの斜視図、図３はＳＣアダプタを取り付けたＳＣアダプタホルダーの平面図、図４はＳＣアダプタを取り付けたＳＣアダプタホルダーの正面図、図５はＳＣアダプタを取り付けたＳＣアダプタホルダーの側面図である。
【００１４】
図１において、引用符号１は本発明のＳＣアダプタホルダーを示している。その本発明のＳＣアダプタホルダー１は、ホルダー元部材２を例えば矢印Ｂの位置で分離することにより形成されている。ホルダー元部材２は、ＳＣアダプタホルダー１の元となる部材であって、任意の箇所で分離することが可能なホルダーブロック３を横一列に複数連ねることにより形成されている。矢印Ｂの位置で分離して形成された本形態のＳＣアダプタホルダー１は、六つのホルダーブロック３を備えて構成されている（ホルダーブロック３の連なる数は任意であるものとする。尚、一つの場合もあるものとする）。ＳＣアダプタホルダー１は、ＳＣコネクタ同士の接続の際に用いられるＳＣアダプタ４（図２参照）を保持するために備えられている。
【００１５】
ホルダーブロック３は、基板５と、その基板５に連続するアダプタ支持用凸部６とを有している。また、ホルダーブロック３は、ポリプロピレン又はＡＢＳ樹脂製（一例であるものとする）であって、図示のような略Ｌ字状となる形状に形成されている。さらに、ホルダーブロック３は、後述するＳＣアダプタ４（図２参照）の形状に合わせて形成されている。
【００１６】
基板５は、表裏平坦な長方形の板状に形成されている。基板５には、円形の貫通孔７が形成されている。その貫通孔７は、基板５の表面８及び裏面９に対して直交方向に形成されている。また、貫通孔７は、ホルダーブロック３の中心軸上に形成されている。アダプタ支持用凸部６は、ＳＣアダプタ支持用の部分であって、基板５の一端から突出するように形成されている。具体的には、基板５の表面８に直交するように突出形成されている。アダプタ支持用凸部６は、基板５よりも肉厚が薄く、突出高さは図中に示されるように比較的低く形成されている。このようなアダプタ支持用凸部６には（見方を変えれば基板５の上記一端には）、突起１０が形成されている。その突起１０は、丸ピン形状であって、上記中心軸上に形成されている。
【００１７】
ホルダーブロック３同士は、分割用の例えば溝１１を間に介在させて連なっている。溝１１は、基板５の側部及びアダプタ支持用凸部６の側部に跨って形成されている。溝１１を介しての分割に関しては、刃物や手によって行われるものとする。溝１１の深さで分割のし易さを調整するようになっている。
【００１８】
図２において、ＳＣアダプタ４は、一対の接続部１２、１３と、一対のフランジ１４と、一対の板バネ１５とを備えて構成されている（構成及び形状は一例であるものとする）。接続部１２、１３は、既知のＳＣコネクタ同士を接続するための部分であって、共に矩形筒状のハウジング１６を有している。各ハウジング１６の一側面には、スリット１７が形成されている。また、フランジ１４側となるハウジング１６の側面には、凹部１８が形成されている。接続部１２側の凹部１８には、板バネ１５が取り付けられている。
【００１９】
板バネ１５は、片持ち形状の弾性片１９を有しており、その弾性片１９の先端とフランジ１４との間には、所定の間隔が開くようにこれらが配置されている。フランジ１４は、所定の肉厚を有する板状の部分として形成されている。また、フランジ１４には、その表裏面を直交するように穴２０が貫通形成されている。
【００２０】
図１ないし図５を参照しながらＳＣアダプタホルダー１等の形成、及びＳＣアダプタ４の組み付け等を順に説明する。尚、特に限定するものではないが、ＳＣアダプタ４の数を四つとして説明する。
【００２１】
先ず、ホルダー元部材２を準備する。次に、矢印Ｂの位置で分離して六つのホルダーブロック３を備えるＳＣアダプタホルダー１を形成する。続いて、残りのホルダー元部材２から四つのホルダーブロック３を備えるＳＣアダプタホルダー１′を形成する。ＳＣアダプタホルダー１は、被固定部分２１に固定する側のホルダーであり、ＳＣアダプタホルダー１′はＳＣアダプタ４を挟んだ反対側に位置するホルダーであるものとする（二つのホルダーの構成は一例であり、固定側のＳＣアダプタホルダー１のみであっても当然によいものとする）。尚、ＳＣアダプタホルダー１におけるホルダーブロック３の数は、固定用となるホルダーブロック３を両端に一つずつ有するため、［接続点数＋２］個となっている。固定用となるホルダーブロック３の数は、上記２個に限らず１個やこれ以上であってもよいものとする。
【００２２】
続いて、ＳＣアダプタホルダー１及び１′と四つのＳＣアダプタ４とを図３ないし図５に示されるように組み付ける。この時、ＳＣアダプタホルダー１及び１′は、アダプタ支持用凸部６をＳＣアダプタ４のフランジ１４及び板バネ１５（弾性片１９）の間に差し込むとともに、そのフランジ１４及び板バネ１５によってアダプタ支持用凸部６を挟み込ませるように組み付ける。また、これと同時に、アダプタ支持用凸部６の突起１０をＳＣアダプタ４におけるフランジ１４の穴２０に差し込んで位置決めをするように組み付ける。
【００２３】
最後に、ＳＣアダプタホルダー１における固定用のホルダーブロック３の貫通孔７にネジ（図示省略）を差し込み、被固定部分２１に対してのネジ止め固定をすると（ネジ止めに限らず接着剤を用いてもよいものとする）、一連の作業が完了する。
【００２４】
以上、図１ないし図５を参照しながら説明してきたように、本発明によれば、ホルダーブロック３の数を調整することで任意の数のＳＣアダプタ４を任意の箇所に固定することができる。
【００２５】
電子回路基板上やＦＴＴＨの光接続箱など、拡大傾向にある光通信の端末部分では、今後、安価で数量調整が簡単、取り付け位置を選ばない、スペースをとらない、といったＳＣアダプタホルダーが必要と考えられる。本発明は、このような状況において有用であるといえる。
【００２６】
本発明によれば、構造が簡単で、量産することにより一層安価に製造することができるという効果を奏する。また、本発明によれば、光接続箱や電子回路基板上にネジ又は接着剤等で簡単にＳＣアダプタ４をバインドして固定することができるという効果を奏する。さらに、本発明によれば、コンパクトにバインドすることができるので、従来品に比べて取り付け位置を選ばないという効果を奏する。さらにまた、本発明によれば、接続点数の調整が簡単にできるという効果を奏する。
【００２７】
その他、本発明は本発明の主旨を変えない範囲で種々変更実施可能なことは勿論である。
【図面の簡単な説明】
【００２８】
【図１】本発明のＳＣアダプタホルダーの一実施の形態を示す図であり、（ａ）は平面図、（ｂ）は正面図、（ｃ）はＡ−Ａ線断面図である。
【図２】ＳＣアダプタの斜視図である。
【図３】ＳＣアダプタを取り付けたＳＣアダプタホルダーの平面図である。
【図４】ＳＣアダプタを取り付けたＳＣアダプタホルダーの正面図である。
【図５】ＳＣアダプタを取り付けたＳＣアダプタホルダーの側面図である。
【符号の説明】
【００２９】
１、１′  ＳＣアダプタホルダー
２  ホルダー元部材
３  ホルダーブロック
４  ＳＣアダプタ
５  基板
６  アダプタ支持用凸部
７  貫通孔
８  表面
９  裏面
１０  突起
１１  溝
１２、１３  接続部
１４  フランジ
１５  板バネ
１６  ハウジング
１７  スリット
１８  凹部
１９  弾性片
２０  穴
２１  被固定部分
【図１】
2006145597.tif 000003
【図２】
2006145597.tif 000004
【図３】
2006145597.tif 000005
【図４】
2006145597.tif 000006
【図５】
2006145597.tif 000007